(57)【要約】【課題】原水中に油分や界面活性剤が含まれていても分離膜を効率的に使用して原水を処理することができる水処理システムおよび水処理方法を提供する。【解決手段】水処理システムは、１段目膜分離装置と２段目膜分離装置を備えている。１段目膜分離装置と２段目膜分離装置には、それぞれ脱塩機能を有する第１分離膜と第２分離膜が使用されている。第１分離膜３１は、基材３２と、分離活性層３３とを備えている。基材３２には、ろ過孔３２ｂが設けられている。分離活性層３３は、基材３２の原水側面３２ａに設けられており、透水性を有し、さらに親水性で且つ荷電を有している。【選択図】図２
2011088104.tif 000002
【特許請求の範囲】
【請求項１】
原水を脱塩機能を有する第１分離膜で処理して第１透過水を得る１段目膜分離装置と、
前記第１透過水を脱塩機能を有する第２分離膜で処理して第２透過水を得る２段目膜分離装置とを備える水処理システムであって、
前記第１分離膜は、ろ過孔を有する基材と、この基材の原水側面に設けられ、親水性で且つ荷電を有する透水性分離活性層とを備えることを特徴とする水処理システム。
【請求項２】
請求項１に記載の水処理システムにおいて、
前記分離活性層は、前記基材の原水側面に前記基材の分画分子量よりも大きい平均分子量を持つイオン性高分子が圧着されて形成されたものであることを特徴とする水処理システム。
【請求項３】
請求項１または請求項２に記載の水処理システムにおいて、
前記基材には酸化剤耐性を有するものを使用し、
前記１段目膜分離装置の前段に配置され、酸化剤を添加する酸化剤添加装置と、
前記１段目膜分離装置と前記第２膜分離装置との間に配置され、前記第１透過水中に残っている前記酸化剤を除去する酸化剤除去手段と
をさらに備えたことを特徴とする水処理システム。
【請求項４】
請求項１〜請求項３のいずれか１項に記載の水処理システムにおいて、
前記第２分離膜に逆浸透膜を用いたことを特徴とする水処理システム。
【請求項５】
請求項４に記載の水処理システムにおいて、
前記第２分離膜に用いる逆浸透膜を、複数段で用いたことを特徴とする水処理システム。
【請求項６】
請求項１〜請求項５のいずれか１項に記載の水処理システムにおいて、
前記２段目膜分離装置の後段に、前記第２透過水中のイオン成分を除去して第３透過水を得る電気再生式脱塩装置をさらに備えたことを特徴とする水処理システム。
【請求項７】
原水を脱塩機能を有する第１分離膜で処理して第１透過水を得る１段目膜分離工程と、
前記第１透過水を脱塩機能を有する第２分離膜で処理して第２透過水を得る２段目膜分離工程とを備える水処理方法であって、
前記第１分離膜は、ろ過孔を有する基材と、この基材の原水側面に設けられ、親水性で且つ荷電を有する透水性分離活性層とを備えることを特徴とする水処理方法。
【請求項８】
請求項７に記載の水処理方法において、
前記分離活性層は、前記基材の原水側面に前記基材の分画分子量よりも大きい平均分子量を持つイオン性高分子が圧着されて形成されたものであることを特徴とする水処理方法。
【請求項９】
請求項７または請求項８に記載の水処理方法において、
前記基材には酸化剤耐性を有するものを使用し、
前記１段目膜分離工程の前段に配置され、酸化剤を添加する酸化剤添加工程と、
前記１段目膜分離工程と前記２段目膜分離工程との間に配置され、前記第１透過水中に残っている前記酸化剤を除去する酸化剤除去工程と
をさらに備えたことを特徴とする水処理方法。
【請求項１０】
請求項７〜請求項９のいずれか１項に記載の水処理方法において、
前記第２分離膜に逆浸透膜を用いたことを特徴とする水処理方法。
【請求項１１】
請求項１０に記載の水処理方法において、
前記第２分離膜に用いる逆浸透膜を、複数段で用いたことを特徴とする水処理方法。
【請求項１２】
請求項７〜請求項１１のいずれか１項に記載の水処理方法において、
前記２段目膜分離工程の後段に、前記第２透過水中のイオン成分を電気再生式脱塩装置を用いて除去する電気式脱塩工程をさらに備えたことを特徴とする水処理方法。
【発明の詳細な説明】
【技術分野】
【０００１】
本件発明は、原水中のイオン成分や不純物を、脱塩機能を有する分離膜を用いて除去する水処理システムおよび水処理方法に関する。
【背景技術】
【０００２】
従来、海水の淡水化や純水、各種製造プロセス用水を得る方法として、例えば逆浸透膜（ＲＯ膜）やナノろ過膜（ＮＦ膜）を分離膜とするモジュールを用い、原水中からイオン成分や低分子成分を分離する方法が知られている。さらに近年では、環境への負荷低減、工業用水費用削減、資源価格高騰の観点から、工場排水等の原水の回収・再利用が積極的に行われている。原水の回収に際しては、逆浸透膜やナノろ過膜のような分離膜を用いた水処理システムが使用されている。
【０００３】
上記の水処理システムについて説明すると、逆浸透膜やナノろ過膜には、膜表面のスキン層に、例えばカルボキシル基やアミド基といった解離基が存在している。逆浸透膜やナノろ過膜に原水が通されると、解離基が持つ荷電に原水中のイオン成分が反発して除去される（脱塩処理）。また、荷電を持たない有機物やシリカ等の不純物は、スキン層を通過できずに捕捉されて除去される。このようにして原水からイオン成分や不純物が除去されることにより透過水が得られる。
【０００４】
また、具体的な水処理システムとしては、特許文献１の従来技術に記載されている水処理システムが提案されている。この水処理システムでは、２段式のＲＯ装置（膜分離装置）を備えている。したがって、この水処理システムでは、原水を逆浸透膜を用いて２段階で処理するので、透過水の純度を高めることが可能になっている。さらに、特許文献１には、電気再生式脱塩装置の前段に、２段式のＲＯ装置を設けるか、１段式のＲＯ装置と軟化器を用いる方法が示されており、電気再生式脱塩装置への負荷を軽減し、高純度の純水を得ることが可能となっている。
【０００５】
また、その他の具体的な水処理システムとしては、特許文献２に記載されている水処理システムが提案されている。この水処理システムでは、特許文献１に記載されている水処理システムと同様に２段式の膜分離装置を備えており、１段目の膜分離装置には逆浸透膜の代わりにナノろ過膜が使用されている。したがって、この水処理システムにおいても、原水をナノろ過膜と逆浸透膜を用いて２段階で処理するので、透過水の純度を高めることが可能になっている。
【先行技術文献】
【特許文献】
【０００６】
【特許文献１】特開２００１−３５３４９８号公報
【特許文献２】特開２００５−４６７６２号公報
【発明の概要】
【発明が解決しようとする課題】
【０００７】
しかしながら、上記のような２段式の膜分離装置を備えた水処理システムでは、特に原水中に油分や界面活性剤が含まれている場合には、１段目の膜分離装置に使用される脱塩機能を有する分離膜（第１分離膜）に、逆浸透膜やナノろ過膜を使用すると、荷電吸着や疎水性相互作用による吸着により、逆浸透膜やナノろ過膜の表面に油分や界面活性剤が徐々に吸着してしまう。
【０００８】
例えば、原水にカチオン系界面活性剤が含まれている場合には、逆浸透膜やナノろ過膜の表面に存在するカルボキシル基に、カチオン系界面活性剤の親水基が荷電吸着により吸着する。また、アニオン系界面活性剤、ノニオン系界面活性剤、油分の場合には、疎水性相互作用による吸着により、これらが逆浸透膜やナノろ過膜の表面に徐々に吸着する。
【０００９】
上記のようにして第１分離膜の表面に油分や界面活性剤が吸着すると、Ｆｌｕｘ（透過流束）が激減する。そして、ひとたび分離膜の表面に油分や界面活性剤が吸着してしまうと、分離膜を洗浄しても油分や界面活性剤を除去しにくく、分離膜の機能を回復させることが非常に困難となる。そのため、第１分離膜の表面に油分や界面活性剤が吸着する度に分離膜を交換しなければならない。したがって、従来の２段式の膜分離装置を備えた水処理システムでは、原水中に油分や界面活性剤が含まれていると分離膜を効率的に使用することができなかった。
【００１０】
本件発明は、かかる従来の課題に鑑みてなされたものであり、原水中に油分や界面活性剤が含まれていても分離膜を効率的に使用して原水を処理することができる水処理システムおよび水処理方法を提供することを目的とする。
【課題を解決するための手段】
【００１１】
そこで、本件発明者等は、鋭意研究の結果、前記課題を解決するために以下のような水処理システムおよび水処理方法を見出すに至った。
【００１２】
本件発明の請求項１に記載の水処理システムは、原水を脱塩機能を有する第１分離膜で処理して第１透過水を得る１段目膜分離装置と、前記第１透過水を脱塩機能を有する第２分離膜で処理して第２透過水を得る２段目膜分離装置とを備える水処理システムであって、前記第１分離膜は、ろ過孔を有する基材と、この基材の原水側面に設けられ、親水性で且つ荷電を有する透水性分離活性層とを備えることを特徴としている。
【００１３】
また、本件発明の請求項２に記載の水処理システムは、請求項１に記載の水処理システムにおいて、前記分離活性層は、前記基材の原水側面に前記基材の分画分子量よりも大きい平均分子量を持つイオン性高分子が圧着されて形成されたものであることを特徴としている。
【００１４】
また、本件発明の請求項３に記載の水処理システムは、請求項１または請求項２に記載の水処理システムにおいて、前記基材には酸化剤耐性を有するものを使用し、前記１段目膜分離装置の前段に配置され、酸化剤を添加する酸化剤添加装置と、前記１段目膜分離装置と前記第２膜分離装置との間に配置され、前記第１透過水中に残っている前記酸化剤を除去する酸化剤除去手段とをさらに備えたことを特徴としている。
【００１５】
また、本件発明の請求項４に記載の水処理システムは、請求項１〜請求項３のいずれか１項に記載の水処理システムにおいて、前記第２分離膜に逆浸透膜を用いたことを特徴としている。
【００１６】
また、本件発明の請求項５に記載の水処理システムは、請求項４に記載の水処理システムにおいて、前記第２分離膜に用いる逆浸透膜を、複数段で用いたことを特徴としている。なお、ここで言う複数段とは２段以上を指し、その複数段の構成は、前段で得られた透過水を、次の段の原水として用いる方式である。このような水処理システムおよび水処理方法は、一般的には２段ＲＯ装置として用いられることが多い。
【００１７】
また、本件発明の請求項６に記載の水処理システムは、請求項１〜請求項５のいずれか１項に記載の水処理システムにおいて、前記２段目膜分離装置の後段に、前記第２透過水中のイオン成分を除去して第３透過水を得る電気再生式脱塩装置をさらに備えたことを特徴としている。
【００１８】
また、本件発明の請求項７に記載の水処理方法は、原水を脱塩機能を有する第１分離膜で処理して第１透過水を得る１段目膜分離工程と、前記第１透過水を脱塩機能を有する第２分離膜で処理して第２透過水を得る２段目膜分離工程とを備える水処理方法であって、前記第１分離膜は、ろ過孔を有する基材と、この基材の原水側面に設けられ、親水性で且つ荷電を有する透水性分離活性層とを備えることを特徴としている。
【００１９】
また、本件発明の請求項８に記載の水処理方法は、請求項７に記載の水処理方法において、前記分離活性層は、前記基材の原水側面に前記基材の分画分子量よりも大きい平均分子量を持つイオン性高分子が圧着されて形成されたものであることを特徴としている。
【００２０】
また、本件発明の請求項９に記載の水処理方法は、請求項７または請求項８に記載の水処理方法において、前記基材には酸化剤耐性を有するものを使用し、前記１段目膜分離工程の前段に配置され、酸化剤を添加する酸化剤添加工程と、前記１段目膜分離工程と前記２段目膜分離工程との間に配置され、前記第１透過水中に残っている前記酸化剤を除去する酸化剤除去工程とをさらに備えたことを特徴としている。
【００２１】
また、本件発明の請求項１０に記載の水処理方法は、請求項７〜請求項９のいずれか１項に記載の水処理方法において、前記第２分離膜に逆浸透膜を用いたことを特徴としている。
【００２２】
また、本件発明の請求項１１に記載の水処理方法は、請求項１０に記載の水処理方法において、前記第２分離膜に用いる逆浸透膜を、複数段で用いたことを特徴としている。
【００２３】
また、本件発明の請求項１２に記載の水処理方法は、請求項７〜請求項１１のいずれか１項に記載の水処理方法において、前記２段目膜分離工程の後段に、前記第２透過水中のイオン成分を電気再生式脱塩装置を用いて除去する電気式脱塩工程をさらに備えたことを特徴としている。
【発明の効果】
【００２４】
本件発明の請求項１に記載の水処理システムと請求項７に記載の水処理方法では、基材の原水側面に分離活性層を設けて第１分離膜を構成した。これにより、原水中のイオン成分や不純物は、第１分離膜の分離活性層によって除去される。この分離活性層は、荷電を有することを特徴としており、親水性である。そして、原水中に油分や界面活性剤が含まれている場合には、この分離活性層の親水的性質により、油分の吸着を抑制する効果がある。また界面活性剤は、分離活性層との荷電反発効果により、吸着が抑制される。よって、請求項１に記載の水処理システムと請求項７に記載の水処理方法は、原水中に油分や界面活性剤が含まれていても分離膜を効率的に使用して原水を処理することができる。
【００２５】
さらに、本件発明の請求項２に記載の水処理システムと請求項８に記載の水処理方法では、第１分離膜の分離活性層を、基材にイオン性高分子を圧着させて形成した。したがって、この分離活性層は安定して基材上に保持され、原水中のイオン成分や不純物を好適に除去することができる。よって、請求項２に記載の水処理システムと請求項８に記載の水処理方法は、原水中のイオン成分や不純物の処理に好適に使用することができる。
【００２６】
また、本件発明の請求項３に記載の水処理システムと請求項９に記載の水処理方法では、基材に酸化剤耐性を有するものを使用し、原水を第１分離膜で処理する前に原水中に酸化剤を添加するようにした。これにより、第１分離膜では微生物の繁殖によるスライムの発生が抑えられるので、通水差圧の上昇やＦｌｕｘの低下を抑えることが可能になる。さらに、第２分離膜にスライムが持ち込まれるのが防止される効果が期待できる。よって、請求項３に記載の水処理システムと請求項９に記載の水処理方法は、原水中に微生物が存在していても、原水の処理機能の低下を防ぐことができる。
【００２７】
また、本件発明の請求項４に記載の水処理システムと請求項１０に記載の水処理方法では、第２分離膜に逆浸透膜を用いた。これにより、第１透過水中のイオン成分や不純物の除去能力を高めることができる。よって、請求項４に記載の水処理システムと請求項１０に記載の水処理方法は、原水の処理能力を高めることができる。その結果、第２透過水の純度を高めることができ、この第２透過水を、比較的純度の低い純水または回収水として使用することが可能になる。
【００２８】
また、本件発明の請求項５に記載の水処理システムと請求項１１に記載の水処理方法では、第２分離膜に用いる逆浸透膜を、複数段で用いた。これにより、第１透過水中のイオン成分や不純物の除去能力をさらに高めることができる。その結果、第２透過水の純度をさらに高めることができ、この第２透過水を、比較的純度の高い純水として使用することが可能になる。
【００２９】
また、本件発明の請求項６に記載の水処理システムと請求項１２に記載の水処理方法では、第２透過水中のイオン成分を電気再生式脱塩装置で除去するようにしたので、第２透過水中のイオン成分の除去能力を高めることができる。よって、請求項６に記載の水処理システムと請求項１２に記載の水処理方法は、原水の処理能力をさらに高めることができる。その結果、第３透過水の純度を高めることができ、この第３透過水を高純度の純水として使用することが可能になる。
【図面の簡単な説明】
【００３０】
【図１】本件発明の一実施の形態を示す水処理システムの模式図である。
【図２】同実施の形態の第１分離膜の模式図である。
【図３】同実施の形態の原水の処理方法を示す工程図である。
【図４】同実施の形態で第１分離膜による原水中のイオン成分や界面活性剤の除去処理を示す模式図である。
【図５】本件発明のその他の実施の形態を示す水処理システムの模式図である。
【図６】本件発明のその他の実施の形態を示す水処理システムの模式図である。
【発明を実施するための形態】
【００３１】
以下、本件発明の実施の形態を図にしたがって説明する。
【００３２】
図１は、本件発明の一実施の形態を示す水処理システム１の模式図である。本実施の形態の水処理システム１は、原水から純水を得るために使用される。この水処理システム１で使用される原水は特に限定されない。原水の例としては、河川水、伏流水、地下水、ダム水、水道水、工業用水、井戸水、除濁水、雨水、生活排水、工場排水等が挙げられる。
【００３３】
なお、原水を水処理システム１で処理する前に、予め原水を活性炭等で処理して原水中の懸濁物質や有機物等を除去しても良い。また、処理に使用する原水のイオン濃度や有機物濃度は、特に限定されないが、イオン濃度としては導電率を基準として、０．５ｍＳ／ｍ〜５０００ｍＳ／ｍ、好ましくは１ｍＳ／ｍ〜３０００ｍＳ／ｍとなる。有機物濃度は、ＴＯＣ換算で１ｍｇ／Ｌ〜１０００ｍｇ／Ｌ、好ましくは２ｍｇ／Ｌ〜５００ｍｇ／Ｌとなる。
【００３４】
そして、本実施の形態の水処理システム１は、原水タンク２、１段目膜分離装置３、２段目膜分離装置４（ＲＯ装置）、電気再生式脱塩装置５（ＥＤＩ）、回収タンク６、酸化剤添加装置７、酸化剤除去手段８、制御装置（図示せず）を備えている。なお、この図１では、ポンプ、圧力計、流量計、弁等は省略している。原水タンク２は、原水を貯留するためのタンクである。回収タンク６は、純水を回収するためのタンクである。その他の構成部分については以下に説明する。
【００３５】
（１段目膜分離装置３）
１段目膜分離装置３は、原水を第１分離膜３１を用いて処理し、原水を第１透過水と第１濃縮水とに分離する装置である。以下に、第１分離膜３１の構成について説明する。
【００３６】
図２は、第１分離膜３１の模式図である。第１分離膜３１の形態としては、平膜型、スパイラル型、チューブラー型、中空糸型が好ましい。これらの形態はいずれも周知のものである。また、逆圧洗浄のしやすさから考慮すると、チューブラー型または中空糸型が好ましい。そして、この第１分離膜３１は、基材３２と、分離活性層３３とを備えている。
【００３７】
基材３２には、多数のろ過孔３２ｂが設けられている。これらのろ過孔３２ｂは、基材３２単独で用いた場合には、原水中に含まれる荷電を持たない微粒子等の不純物を捕捉するものである。また、ろ過孔３２ｂの数や形状は特に限定されない。特に、ろ過孔３２ｂの形状は、基材３２の素材の特性上、直円筒状ではなく、ポリマー鎖の絡まりの間隙部分となっており、複雑な形状を有する。なお、基材３２において原水側面３２ａとは、原水が接触する方の面である。
【００３８】
また、基材３２としては、脱塩機能を有しない分離膜、分画分子量や耐圧が明示されている分離膜等を使用するのが好ましい。分画分子量は不純物を捕捉する際の指標となり、耐圧は原水の供給圧を設定する際の指標となる。したがって、分画分子量や耐圧が明示されている分離膜は基材として使い勝手が良い。
【００３９】
具体的な基材３２としては、例えば、限外ろ過膜（ＵＦ膜）が挙げられる。限外ろ過膜は酸化剤耐性を有している。また、この限外ろ過膜は、分画分子量が３，０００〜３００，０００のものが好ましく、１０，０００〜１５０，０００であるものがさらに好ましい。限外ろ過膜の材質は、ポリオレフィン系、ポリエーテルスルホン系、ポリスルホン系、ポリアクリロニトリル系、ポリフッ化ビニリデン（ＰＶＤＦ）系、ポリ塩化ビニル系、ポリ酢酸セルロース系、セラミック系を用いるのが良い。また、限外ろ過膜等の脱塩機能を有しない分離膜を用いることにより、脱塩機能を有する逆浸透膜やナノろ過膜と比べて高いＦｌｕｘを得ることができる。
【００４０】
一方、分離活性層３３は、基材３２の原水側面３２ａに設けられている。この分離活性層３３は透水性を有し、さらに親水性で且つ荷電を有している。具体的には、この分離活性層３３は、基材３２の原水側面３２ａにイオン性高分子３３ａが圧着されて形成されている。また、このイオン性高分子３３ａは、平均分子量が基材３２の分画分子量よりも大きいものが使用される。その理由は、イオン性高分子３３ａを原水側面３２ａに圧着させるときにイオン性高分子３３ａがろ過孔３２ｂから抜けるのを防ぐためである。なお、イオン性高分子３３ａの具体的な平均分子量は、５，０００〜１，０００，０００である。
【００４１】
また、イオン性高分子３３ａとしては、アニオン性高分子、カチオン性高分子、両性高分子のいずれも使用することが可能である。
【００４２】
アニオン性高分子は特に限定されないが、例えば、ポリアクリル酸、ポリメタクリル酸、ポリビニルスルホン酸、ポリビニル酢酸、ポリグルタミン酸、ポリスチレンスルホン酸が挙げられる。中でも、ポリアクリル酸が好ましい。
【００４３】
また、カチオン性高分子は、特に限定されないが、例えば、ポリアリルアミン、ポリジアリルアミン、ポリジメチルアリルアミン、ポリビニルアミン、ポリビニルピリジン、ポリエチレンイミン、ポリアクリルアミド、ポリジアリルジメチルアンモニウム、ポリビニルベンジルトリメチルアンモニウムが挙げられる。中でも、ポリエチレンイミン、ポリジアリルジメチルアンモニウムが好ましい。以上に挙げたアニオン性高分子やカチオン性高分子は、入手しやすい、比較的安価である、安全であるといった利点がある。
【００４４】
また、分離活性層３３にイオン性高分子３３ａを使用する理由は、分離活性層３３に脱塩機能を持たせるためである。この脱塩機能とは、周知のように、原水中に含まれるイオン成分を荷電反発により原水から除去する機能である。また、原水に界面活性剤が含まれる場合には、分離活性層３３の荷電を任意に変更することにより、分離活性層３３の脱塩機能を活かすことができる。
【００４５】
例えば、原水中にアニオン性界面活性剤が含まれる場合には、その親水基を荷電反発させるために、イオン性高分子３３ａとしてアニオン性高分子が用いられる。また、原水中にカチオン性界面活性剤が含まれる場合には、その親水基を荷電反発させるために、イオン性高分子３３ａとしてカチオン性高分子が用いられる。このような方法を用いることで、分離活性層３３への界面活性剤の吸着を抑制できる。
【００４６】
そして、以上のように構成されている第１分離膜３１のＦｌｕｘは、０．５〜２０ｍ／（ｄ・ＭＰａ）であることが好ましく、０．５〜１０ｍ／（ｄ・ＭＰａ）であることがより好ましい。Ｆｌｕｘが０．５ｍ／（ｄ・ＭＰａ）よりも小さいと、必要量の処理水を得るための運転コストが増大してしまい好ましくない。Ｆｌｕｘが２０ｍ／（ｄ・ＭＰａ）よりも大きいと、基材３２の原水側面３２ａにイオン性高分子３３ａが十分に圧着されていない可能性がある。この場合には、第１分離膜３１は十分な脱塩機能を発揮できないおそれがあるため好ましくない。
【００４７】
また、第１分離膜３１による原水中のイオン成分の阻止率（除去率）は、２価イオンの場合は７０％以上、１価イオンの場合は２０％以上であることが好ましい。
【００４８】
なお、ここで言う２価イオンとは、イオン性高分子３３ａがアニオン性高分子の場合には硫酸イオン等であり、カチオン性高分子の場合には、カルシウムイオン、マグネシウムイオン等である。また１価イオンとは、イオン性高分子３３ａがアニオン性高分子の場合には、塩化物イオン、硝酸イオン等であり、カチオン性高分子の場合には、カリウムイオン、ナトリウムイオン等である。
【００４９】
（２段目膜分離装置４）
図１に示すように、２段目膜分離装置４（ＲＯ装置）は、第１透過水を第２分離膜４１を用いて処理し、第１透過水を第２透過水と第２濃縮水とに分離する装置である。以下に、第２分離膜４１の構成について説明する。
【００５０】
この第２分離膜４１は、第１透過水を実際に第２透過水と第２濃縮水とに分離するものであり、第１分離膜３１と同様に脱塩機能を有している。本実施の形態では、第２分離膜４１として逆浸透膜（ＲＯ膜）が使用されている。この逆浸透膜は市販のものが使用されている。
【００５１】
逆浸透膜の形態としては、特に限定されないが、スパイラル型、中空糸型、平膜型、チューブラー型などが挙げられる。中でもスパイラル型は汎用性も高く、コストも安い面から好ましい。逆浸透膜の素材としては、特に限定されないが、ポリアミド系、ピペラジンアミド系、酢酸セルロース系などが挙げられる。中でもポリアミド系は、高い分離性能を有しており、好適である。さらに、ポリアミド系の中でも、芳香族ポリアミド系が好ましく、架橋全芳香族ポリアミド系がさらに好ましい。
【００５２】
なお、広義の意味で逆浸透膜とは、原水中のイオン成分を除去できる膜と考えることができる。本件発明で１段目に用いている第１分離膜３１は、イオン成分を除去する機能を有しているが、基材３２に分離活性層３３を圧着させて形成されており、市販の逆浸透膜とは構造が異なるため、本件発明では逆浸透膜の定義には含まれない。
【００５３】
また、ここで、１段目膜分離装置３と２段目膜分離装置４との間に、ブースターポンプを設けても良い。これにより、第１透過水を２段目膜分離装置４に効率良く送ることができる。なお、１段目膜分離装置３で必要とされる操作圧力は低いので、１段目膜分離装置３の前には揚程の小さいポンプを用いることができる。一方、２段目膜分離装置４で用いられる第２分離膜４１には逆浸透膜が用いられることから１段目膜分離装置３と比較して高い圧力が必要とされるため、２段目膜分離装置４の前で高圧ポンプにて加圧するのが良い。
【００５４】
（電気再生式脱塩装置５）
電気再生式脱塩装置５（ＥＤＩ）は、第２透過水中に含まれているイオン成分を除去して第２透過水を第３透過水と第３濃縮水とに分離する装置である。この電気再生式脱塩装置５は、電気泳動と電気透析とが組み合わせられた周知の純水製造装置である。
【００５５】
電気再生式脱塩装置５の構成を簡単に説明しておく。電気再生式脱塩装置５には脱塩室と濃縮室が交互に配置され、脱塩室と濃縮室との間にはアニオン交換膜とカチオン交換膜が交互に配置されている。アニオン交換膜の外側には陰極室が配置され、カチオン交換膜の外側には陽極室が配置されている。脱塩室内にはイオン交換体が充填されている。
【００５６】
（酸化剤添加装置７）
酸化剤添加装置７は、原水に酸化剤を添加して原水と第１分離膜３１を殺菌する装置である。この酸化剤添加装置７は、原水タンク２と１段目膜分離装置３とを接続する配管に接続されている。なお、この酸化剤添加装置７を原水タンク２に直接接続して、原水タンク２内の原水に酸化剤を添加するようにしても良い。酸化剤添加装置７の例としては、薬注ポンプが挙げられる。
【００５７】
また、この酸化剤添加装置７に使用される酸化剤は、特に限定されないが、次亜塩素酸ナトリウム、過酸化水素水が好ましく、入手のしやすさや効果、コスト等を考慮すると次亜塩素酸ナトリウムがより好ましい。酸化剤の濃度は、０．５〜１０ｍｇ／Ｌが好ましく、より好ましくは０．５〜５ｍｇ／Ｌ、さらに好ましくは０．５〜２ｍｇ／Ｌである。酸化剤濃度が０．５ｍｇ／Ｌよりも低いと十分な殺菌効果が得られないので好ましくない。酸化剤濃度が１０ｍｇ／Ｌを超えてしまうと薬品コストの増大につながるので好ましくない。また、酸化剤の添加方法としては、原水に酸化剤を連続的に添加するか、もしくは間欠的に添加するのが良い。
【００５８】
（酸化剤除去手段８）
酸化剤除去手段８は、第１透過水中に残っている酸化剤を除去するものである。酸化剤除去手段８としては、還元剤添加装置や、活性炭ろ過器等が挙げられる。
【００５９】
還元剤添加装置は、第１透過水に還元剤を添加して、第１透過水中に残っている酸化剤を化学反応により除去する装置である。還元剤添加装置は、１段目膜分離装置３と２段目膜分離装置４とを接続する配管に接続される。還元剤添加装置の例としては、薬注ポンプが挙げられる。また、この還元剤添加装置に使用される還元剤は、特に限定されないが、亜硫酸ナトリウム、亜硫酸水素ナトリウム、チオ硫酸ナトリウムなどが挙げられる。また、還元剤の添加方法としては、第１透過水に還元剤を連続的に添加するか、もしくは酸化剤の添加タイミングと合わせて、間欠的に添加するのが良い。
【００６０】
活性炭ろ過器は、第１透過水中に残っている酸化剤を吸着して除去するものである。この活性炭ろ過器は、１段目膜分離装置３と２段目膜分離装置４とを接続する配管の途中に設置される。この活性炭ろ過器に使用される活性炭は、特に限定されないが、粒状炭、球状炭、粉末炭などが挙げられる。
【００６１】
（制御装置）
制御装置は、上記で説明した各装置や、ポンプ、弁、圧力計、流量計等に接続しており、圧力計や流量計から得られる数値を利用して、ポンプ、弁、各装置の動作を制御する。また、制御装置は操作部を備えており、操作部には、水処理システム１を制御するための各種のスィッチ（開始スイッチや停止スイッチ等）が配置されている。
【００６２】
以上のように構成されている水処理システム１について、次に、原水の処理方法を説明する。原水の処理は、作業者が制御装置の操作部の開始スイッチをオンにすると開始される。これにより、原水タンク２中の原水は１段目膜分離装置３に送られる。そして、図３に示すような酸化剤添加工程、第１膜分離工程、酸化剤除去工程、第２膜分離工程、電気式脱塩工程の順に行われる。以下に、各工程について説明する。
【００６３】
（酸化剤添加工程）
酸化剤添加装置７は、原水が１段目膜分離装置３に送られる途中で原水に酸化剤を添加して原水を殺菌する。
【００６４】
（１段目膜分離工程）
酸化剤が添加された原水は１段目膜分離装置３に入り、第１分離膜３１で処理される。これにより原水中に含まれている荷電を持たない微粒子等の不純物やイオン成分が除去される。その結果、原水は第１透過水と第１濃縮水とに分離される。第１透過水は、２段目膜分離装置４に送られる。第１濃縮水は外部に排出される。以下に、第１分離膜３１による原水の処理方法について詳しく説明する。
【００６５】
図４に示すように、原水中に含まれているイオン成分１００は、分離活性層３３と荷電反発して原水から除去される。また、図示しないが、原水中の荷電を持たない不純物は、分離活性層３３の表面で阻止される。このようにして原水からイオン成分１００や不純物が除去されて第１透過水が得られる。なお、イオン成分１００や不純物は第１濃縮水側に流れて外部に排出される。
【００６６】
また、原水中にアニオン性界面活性剤またはカチオン性界面活性剤が含まれている場合には、上記で説明したようにイオン性高分子３３ａには、これらの界面活性剤と反発するようにアニオン性高分子またはカチオン性高分子を用いる。これにより、図４に示すようにこれらの界面活性剤２００は分離活性層３３と荷電反発して分離活性層３３に吸着するのが抑制され、原水から除去される。
【００６７】
なお、原水中にノニオン性界面活性剤が含まれている場合には、イオン性高分子３３ａの親水的性質により、ノニオン性界面活性剤の分離活性層３３への吸着が抑制されて原水から除去される。また、原水中に油分が含まれる場合にも、イオン性高分子３３ａの親水的性質により、油分の分離活性層３３への吸着が抑制されて原水から除去される。このようにして原水から除去された界面活性剤や油分は第１濃縮水側に流れて外部に排出される。
【００６８】
（酸化剤除去工程）
酸化剤除去手段８は、第１透過水が２段目膜分離装置４に送られる途中で、第１透過水中に残っている酸化剤を除去する。その除去方法は、上記で説明したように、第１透過水に還元剤を添加して酸化剤を化学反応を利用して除去したり、酸化剤を活性炭ろ過器で吸着したりして除去する。
【００６９】
（２段目膜分離工程）
酸化剤が除去された第１透過水は２段目膜分離装置４に入り、第２分離膜４１（逆浸透膜）で処理される。これにより第１透過水中の有機物やシリカ等の不純物とイオン成分が除去される。その結果、第１透過水は第２透過水と第２濃縮水とに分離され、第２透過水は電気再生式脱塩装置５に送られる。第２濃縮水は、原水タンク２と１段目膜分離装置３とを接続する配管または原水タンク２に送られて１段目膜分離装置３から再度処理されるか、外部に排出される。
【００７０】
（電気式脱塩工程）
電気再生式脱塩装置５は、第２透過水中のイオン成分をイオン交換体に吸着させて除去し（脱塩処理）、第３透過水を得る。この第３透過水は、回収タンク６に溜められて純水として使用される。
【００７１】
また、電気再生式脱塩装置５は、陽極室の陽極と陰極室の陰極との間に直流電圧が印加され、これによりイオン交換体に吸着されたイオン成分がイオン交換膜（アニオン交換膜、カチオン交換膜）の表面まで移動して電気透析されて濃縮室に移動する。濃縮室に移動したイオン成分は、濃縮室に供給されている水に入り、この水を第３濃縮水にする。この第３濃縮水は、原水タンク２と１段目膜分離装置３とを接続する配管または原水タンク２に送られて１段目膜分離装置３から再度処理されるか、外部に排出される。
【００７２】
なお、イオン交換体は、イオン成分が吸着しても、電気泳動と電気透析により濃縮室に移動することにより再生される。また、第２透過水が解離してＨ＋とＯＨ−が生成されて、イオン交換体が連続的に再生される。
【００７３】
以上のようにして水処理システム１は原水から純水を製造する。一方、原水中に油分や界面活性剤が含まれている場合には、上記で説明したように、第１分離膜３１の分離活性層３３が親水性で荷電を有していることから、油分や界面活性剤が分離活性層３３に吸着するのが抑制される。したがって、本実施の形態の水処理システム１（水処理方法）は、原水中に油分や界面活性剤が含まれていても分離膜を効率的に使用して原水を処理することができる。
【００７４】
さらに、第１分離膜３１の分離活性層３３は、イオン性高分子３３ａを基材３２に圧着して形成されているので、この分離活性層３３は安定して基材３２上に保持され、原水中のイオン成分１００や不純物を好適に除去することができる。よって、本実施の形態の水処理システム１は、原水中のイオン成分や不純物の処理に好適に使用することができる。
【００７５】
また、本実施の形態の水処理システム１では、第２分離膜４１に逆浸透膜を用いたので、第１透過水中のイオン成分や不純物の除去能力を高めることができる。さらに、本実施の形態の水処理システム１では、電気再生式脱塩装置５を用いて第２透過水中のイオン成分を除去するようにしたので、第２透過水中のイオン成分の除去能力を高めることができる。よって、本実施の形態の水処理システム１は、原水の処理能力をさらに高めることができる。また、その結果、第３透過水の純度、つまり純水の純度を高めることができる。
【００７６】
また、本実施の形態の水処理システム１では、基材３２に酸化剤耐性を有する限外ろ過膜を使用し、原水を１段目膜分離装置３（１段目膜分離工程）で処理する前に原水に酸化剤を添加するようにした。これにより１段目膜分離装置３では微生物の繁殖によるスライムの発生が抑えられるので、通水差圧の上昇やＦｌｕｘの低下が抑えられる。また、２段目膜分離装置４（２段目膜分離工程）にスライムが持ち込まれるのが防止される効果が期待できる。よって、本実施の形態の水処理システム１は、原水中に微生物が存在していても、原水の処理機能の低下を防ぐことができ、好適な運転状態を維持することができる。その結果、本実施の形態の水処理システム１は、原水由来の微生物汚染に対して十分に対応することが可能になる。
【００７７】
なお、原水の濁度や有機物濃度が高い場合には、第１分離膜３１を定期的に逆圧洗浄することが好ましい。
【００７８】
また、本実施の形態の水処理システム１では、第２濃縮水や第３濃縮水の一部を１段目膜分離装置３から再度処理されるようにしたので、純水の回収率を高めることができる。
【００７９】
以上、本件発明にかかる実施の形態を例示したが、これらの実施の形態は本件発明の内容を限定するものではない。また、本件発明の請求項の範囲を逸脱しない範囲であれば、各種の変更等は可能である。
【００８０】
１段目膜分離装置３（第１分離膜３１）と、２段目膜分離装置４（第２分離膜４１）との間の分離機能の高低は特に限定されないが、原水のイオン濃度や有機物濃度が高い場合には、２段目膜分離装置を、複数の逆浸透膜を用いた２段ＲＯ装置から構成するのが好ましい。２段ＲＯ装置にすることにより、第２透過水の純度がさらに高まるので、電気再生式脱塩装置５の処理にかかる負荷を軽減することができる。
【００８１】
また、本実施の形態の水処理システム１では、第１分離膜３１の分離活性層３３をイオン性高分子３３ａから構成したが、必ずしもこれに限定する必要はなく、脱塩機能を有する分離膜（逆浸透膜やナノろ過膜）を基材に設けることも可能である。この場合には第１分離膜の脱塩機能が強化されるので、原水中のイオン成分１００の除去能力が高くなり、最終的に得られる純水の純度をさらに高めることができる。
【００８２】
また、本実施の形態の水処理システム１では、第２分離膜４１に逆浸透膜を用いたが、必ずしも逆浸透膜に限定する必要はなく、逆浸透膜以外の脱塩機能を有する分離膜、例えば、第１分離膜３１やナノろ過膜を使用しても良い。この場合でも、第１透過水中のイオン成分や不純物は除去されるので、第２透過水の純度を高めることが可能である。
【００８３】
また、本実施の形態の水処理システム１では、制御装置を用いて自動運転するように構成したが、この水処理システムを、作業者が圧力計や流量計を監視しながら各装置やポンプ、弁等を手動で操作するように構成しても良い。
【００８４】
また、本実施の形態の水処理システム１では、１段目膜分離装置３と、２段目膜分離装置４と、電気再生式脱塩装置５と、酸化剤添加装置７と、酸化剤除去手段８とを備えたものとしたが、必ずしもこのような構成に限定しなくても良い。
【００８５】
例えば、図５に示すように本実施の形態の水処理システム１から電気再生式脱塩装置５を除いた水処理システム５０や、図６に示すように図５の水処理システム１から酸化剤添加装置７と酸化剤除去手段８を除いた水処理システム５１でも良い。
【００８６】
図５の水処理システム５０を用いた場合には、第２分離膜４１に逆浸透膜を用いているので第１透過水中のイオン成分や不純物の除去能力を高めることができ、第２透過水を比較的純度の低い純水として使用することが可能になる。一方、工場排水などのように原水のイオン濃度や有機物濃度が高い場合には、十分な純度の純水が得られない場合がある。このような場合には、第２透過水を純水として使用せずに他の純水製造装置の原水として用いることが好ましい。
【００８７】
さらに、水処理システム５０において、２段目膜分離装置４を、複数の逆浸透膜を用いた２段ＲＯ装置から構成することもできる。この場合には、第１透過水中のイオン成分や不純物の除去能力がさらに高まるので、第２透過水の純度をさらに高めることができ、この第２透過水を、比較的純度の高い純水として使用することが可能になる。
【００８８】
また、図６の水処理システム５１を用いた場合には、酸化剤添加装置７が設けられていないので、原水由来の微生物汚染の懸念が少ない場合に好適であり、図５の水処理システム５０と比較してシステムの低コスト化が図れる。
【００８９】
以下、実施例および比較例を示して本件発明を具体的に説明する。なお、ここで説明する実施例は、単に例示であって、本発明を限定するものではない。
【実施例１】
【００９０】
実施例１では、図６の水処理システム５１（１段目膜分離装置、２段目膜分離装置）を用いて原水を処理した。そして、運転初期、１００時間後、２００時間後において、第１分離膜のＦｌｕｘの変化、第１透過水の導電率の変化、第２分離膜のＦｌｕｘの変化、第２透過水の導電率の変化を測定した。なお、第１分離膜は、３０分毎に３０秒間の逆圧洗浄を行った。実施例１にかかるデータを下記に示す。
原水：機械油を５０ｍｇ／Ｌ含有する工場排水（導電率２０ｍＳ／ｍ）
第１分離膜：実施例１−Ａ〜１−Ｆの中空糸型分離膜（表１参照）
第２分離膜：逆浸透膜（日東電工社製ＥＳ１５−Ｄ８）
１段目膜分離装置の運転圧力：０．３ＭＰａ
２段目膜分離装置の運転圧力：０．７５ＭＰａ
【００９１】
【表１】
2011088104.tif 000003
【００９２】
比較例１では、第１分離膜に逆浸透膜（日東電工社製ＥＳ１５−Ｄ８）を用い、１段目膜分離装置の前に高圧ポンプを設けて１段目膜分離装置の運転圧力を０．７５ＭＰａにした以外は、実施例１と同じ処理を行った。
【００９３】
＜実施例１と比較例１の比較＞
下記の表２〜表５に、実施例１と比較例１の結果を示す。
【００９４】
【表２】
2011088104.tif 000004
【００９５】
【表３】
2011088104.tif 000005
【００９６】
【表４】
2011088104.tif 000006
【００９７】
【表５】
2011088104.tif 000007
【００９８】
第１分離膜のＦｌｕｘおよび第１透過水の導電率は、いずれの実施例においても、２００時間の運転時間において、油分の吸着がなく、好適に維持できた。その結果、第２分離膜のＦｌｕｘおよび第２透過水の導電率も好適に維持できた。一方、比較例においては、第１分離膜に機械油が吸着して第１分離膜が汚染されたことにより、第１分離膜のＦｌｕｘが激減し、それと共に第１透過水の導電率も悪化した。その結果、第２分離膜のＦｌｕｘおよび第２透過水の導電率も低下し、最終的には運転不能となった。
【実施例２】
【００９９】
実施例２では、図５の水処理システム５０（１段目膜分離装置、２段目膜分離装置、酸化剤添加装置、酸化剤除去装置）を用いて原水を処理した。そして、運転初期、１０００時間後、２０００時間後において、第１分離膜のＦｌｕｘの変化、第１透過水の導電率の変化、第２分離膜のＦｌｕｘの変化、第２透過水の導電率の変化を測定した。なお、第１分離膜は、３０分毎に３０秒間の逆圧洗浄を行った。実施例２にかかるデータを下記に示す。
原水：植物油を１０ｍｇ／Ｌ含有する食品工場排水（導電率１０ｍＳ／ｍ）
第１分離膜：実施例２−Ａ〜２−Ｆの中空糸型分離膜（実施例１−Ａ〜１−Ｆと同じ）
第２分離膜：逆浸透膜（日東電工社製ＥＳ２０−Ｄ８）
１段目膜分離装置の運転圧力：０．３ＭＰａ
２段目膜分離装置の運転圧力：０．７５ＭＰａ
酸化剤：次亜塩素酸ナトリウム（１ｍｇ／Ｌ）を連続添加
還元剤：亜硫酸水素ナトリウム（５ｍｇ／Ｌ）を連続添加
【０１００】
比較例２は、実施例２において酸化剤と還元剤を用いない以外は、実施例２と同じ処理を行った。つまり、比較例２で使用した第１分離膜（比較例２−Ａ〜２−Ｆ）は実施例２と同じものであり（実施例１−Ａ〜１−Ｆ）、図６の水処理システム５１（１段目膜分離装置、２段目膜分離装置）を用いて原水の処理を行った。
【０１０１】
さらに、実施例２−Ａと比較例２−Ａで用いた第１膜分離装置と第２膜分離装置を２０００時間の運転後解体し、第１分離膜の表面および第２分離膜の表面のスライム付着状況を確認するため、分離膜の外観検査を実施した。
【０１０２】
＜実施例２と比較例２の比較＞
下記の表６〜表１０に、実施例２と比較例２の結果を示す。
【０１０３】
【表６】
2011088104.tif 000008
【０１０４】
【表７】
2011088104.tif 000009
【０１０５】
【表８】
2011088104.tif 000010
【０１０６】
【表９】
2011088104.tif 000011
【０１０７】
【表１０】
2011088104.tif 000012
【０１０８】
第１分離膜のＦｌｕｘおよび第１透過水の導電率は、いずれの実施例においても、２０００時間の運転時間において、油分の吸着もなく、スライムによる汚染もなかったため、好適に維持できた。その結果、第２分離膜のＦｌｕｘおよび第２透過水の導電率も好適に維持できた。一方、比較例においては、酸化剤を使用しなかったことにより第１分離膜にスライムが発生した。そのため、第１分離膜のＦｌｕｘが経時的に低下し、それに伴い第１透過水の導電率も悪化した。その結果、第２分離膜へもスライムが持ち込まれて第２分離膜が汚染された。そのため、第２分離膜のＦｌｕｘは低下し、第２透過水の導電率も低下した。
【実施例３】
【０１０９】
実施例３では、図１の水処理システム１（１段目膜分離装置、２段目膜分離装置、ＥＤＩ、酸化剤添加装置、酸化剤除去装置）を用いて原水を処理した。そして、運転初期、１０００時間後、２０００時間後において、第１透過水の導電率の変化、第２透過水の導電率の変化および第３透過水の抵抗率の変化を測定した。なお、第１分離膜は、３０分毎に３０秒間の逆圧洗浄を行った。実施例３にかかるデータを下記に示す。
原水：アニオン系界面活性剤を２０ｍｇ／Ｌ含有する工場排水（導電率１５ｍＳ／ｍ）
第１分離膜：実施例３−Ａ〜３−Ｄの中空糸型分離膜（下記の表１１参照）
第２分離膜：逆浸透膜（日東電工社製ＥＳ１５−Ｄ８）
１段目膜分離装置の運転圧力：０．３ＭＰａ
２段目膜分離装置の運転圧力：０．７５ＭＰａ
酸化剤：次亜塩素酸ナトリウム（２ｍｇ／Ｌ）を連続添加
還元剤：亜硫酸ナトリウム（８ｍｇ／Ｌ）を連続添加
【０１１０】
【表１１】
2011088104.tif 000013
【０１１１】
比較例３では、第１分離膜として、分画分子量１５０，０００の中空糸型限外ろ過膜（ポリエーテルスルホン製）を用いた。それ以外は、実施例３と同じ方法にて処理を行った。
【０１１２】
＜実施例３と比較例３の比較＞
下記の表１２〜表１４に、実施例３と比較例３の結果を示す。
【０１１３】
【表１２】
2011088104.tif 000014
【０１１４】
【表１３】
2011088104.tif 000015
【０１１５】
【表１４】
2011088104.tif 000016
【０１１６】
第１透過水の導電率は、いずれの実施例においても、２０００時間の運転時間において、界面活性剤の吸着がなく好適に維持でき、その結果、第２透過水の導電率、第３透過水の抵抗率も好適に維持できた。一方、比較例では、第１分離膜にＵＦ膜を用いたことにより、界面活性剤が阻止されず、第２分離膜の表面に到達し、表面が界面活性剤で汚染されて第２透過水の水質が低下した。これによりＥＤＩに負荷がかかり、第３透過水の水質低下を招いた。
【産業上の利用可能性】
【０１１７】
以上説明したように本件発明の水処理システムおよび水処理方法は、原水中に油分や界面活性剤が含まれていても分離膜を効率的に使用して原水を処理することができる。また、本件発明の水処理システムおよび水処理方法は、原水中に油分や界面活性剤が含まれていない場合でも原水中のイオン成分や不純物の除去能力を高めることができ、さらにスライムの発生も防止できるので、原水由来の微生物汚染に対して十分に対応することが可能になる。したがって、本件発明の水処理システムおよび水処理方法を、水処理の技術分野で十分に利用することができる。
【符号の説明】
【０１１８】
１    水処理システム
３    １段目膜分離装置
４    ２段目膜分離装置
５    電気再生式脱塩装置
７    酸化剤添加装置
８    酸化剤除去手段
３１    第１分離膜
３２    基材
３２ａ    原水側面
３２ｂ    ろ過孔
３３    分離活性層
３３ａ    イオン性高分子
４１    第２分離膜
５０    水処理システム
５１    水処理システム
１００    イオン成分
２００    界面活性剤
【図１】
2011088104.tif 000017
【図２】
2011088104.tif 000018
【図３】
2011088104.tif 000019
【図４】
2011088104.tif 000020
【図５】
2011088104.tif 000021
【図６】
2011088104.tif 000022